(57)【要約】      （修正有）【課題】害虫を誘引し、捕獲効果が高く、再利用が可能な害虫駆除器を提供する。【解決手段】頂面１０１ｂに開口する捕獲室１０４を有する容器本体１０１と、容器本体１０１の頂面１０１ｂとの間に害虫が侵入する所定の隙間を保持して捕獲室１０４の開口部を覆う屋根１０２を備える。容器本体１０１の捕獲室１０４の底面には害虫を誘引する害虫誘引剤１０８を載置する載置台１０７を立設して設ける。捕獲室１０４には害虫の殺虫成分を含む殺虫用液体を貯留する。【選択図】図１
0003179567.tif 000002
【実用新案登録請求の範囲】
【請求項１】
頂面に開口する捕獲室を有する容器本体と、容器本体の頂面との間に害虫が侵入する所定の隙間を保持して前記捕獲室の開口部を覆う屋根を備え、前記容器本体の捕獲室の底面には害虫を誘引する害虫誘引剤を載置する載置台が立設して設けられ、前記捕獲室には害虫の殺虫成分を含む殺虫用液体が貯留されていることを特徴とする害虫捕獲器。
【請求項２】
容器本体の側面に階段部が設けられていることを特徴とする請求項１記載の害虫捕獲器。
【請求項３】
容器本体の捕獲室の内周面に一周に亘り潤滑剤塗布部が設けられていること特徴とする請求項１または請求項２記載の害虫捕獲器。
【請求項４】
屋根の下面の各隅部に脚部が設けられ、容器本体の頂面の隅部に脚部を支持させて容器本体の頂面と屋根の下面との間に害虫が侵入する隙間が形成されていることを特徴とする請求項１ないし請求項３のいずれか一項に記載の害虫捕獲器。
【請求項５】
載置台の上に害虫誘引剤の代わりに発光剤または蓄熱材が載置されることを特徴とする請求項１ないし請求項４のいずれか一項に記載の害虫捕獲器。
【考案の詳細な説明】
【技術分野】
【０００１】
本考案は、害虫を誘引し、捕獲効果が高く、再利用が可能な害虫駆除器に関するものである。
【背景技術】
【０００２】
従来より、ゴキブリ等の害虫駆除方法として、ホウ酸団子や市販のスプレー殺虫剤がある。ところが、ホウ酸団子やスプレー殺虫剤は思ったよりも駆除効果が低い。そこで、捕獲効果の高い粘着シートを用いて、害虫を捕獲し、駆除するようにした害虫捕獲器が提案されている（例えば特許文献１、特許文献２、特許文献３等を参照）特許文献１の害虫捕獲器は、中央台紙に左右の側部台紙を連設し、中央台紙の上面に粘着剤層を形成して、左右の側部台紙を折り上げて、立体状に屋根を形成し、粘着剤層の上に餌を載せて、左右の入口から害虫を誘引して粘着剤で捕獲するようになっている。特許文献２の害虫捕獲器は、長方形の板状の基部の中央に粘着シートを取り付けて、トコジラミ（床虱）等の害虫を粘着シートで捕獲するようになっている。特許文献３の害虫捕獲器は、蛍光板の一面に粘着シートが取り付けられ、蛍光板内部から紫外線又は蛍光を発し、この紫外線又は蛍光により害虫を誘引して害虫を粘着シートに捕獲するようになっている。
【先行技術文献】
【特許文献】
【０００３】
【特許文献１】特開２００７−９７４０８号公報
【特許文献２】特開２０１１−２５４７４６号公報
【特許文献３】特開２０１２−１９７５８号公報
【考案の概要】
【考案が解決しようとする課題】
【０００４】
しかしながら、特許文献１や特許文献２の害虫捕獲器は、粘着シートの使用後はそのまま捕獲器ごと廃棄する使い捨てタイプであり、また、特許文献３の害虫捕獲器は、粘着シートの使用後は粘着シートを取り替える必要があった。さらに、いずれの害虫捕獲器も、害虫の捕獲量が粘着シートの大きさや粘着剤層の範囲に制限されており、それ以上の量の害虫捕獲は困難であった。
【０００５】
本考案は、上記課題に鑑みてなされたもので、害虫を誘引し、捕獲効果が高く、再利用が可能な害虫駆除器を提供することを目的とする。
【課題を解決するための手段】
【０００６】
上記課題を解決するために、本考案に係る害虫捕獲器は、
頂面に開口する捕獲室を有する容器本体と、容器本体の頂面との間に害虫が侵入する所定の隙間を保持して前記捕獲室の開口部を覆う屋根を備え、前記容器本体の捕獲室の底面には害虫を誘引する害虫誘引剤を載置する載置台を立設して設け、前記捕獲室には害虫の殺虫成分を含む殺虫用液体を貯留させることを主要な特徴とする。
【０００７】
本考案に係る害虫捕獲器は、容器本体の側面に階段部を設けることを第２の特徴とする。
【０００８】
本考案に係る害虫捕獲器は、容器本体の捕獲室の内周面に一周に亘り潤滑剤塗布部を設けることを第３の特徴とする。
【０００９】
本考案に係る害虫捕獲器は、屋根の下面の各隅部に脚部を設け、容器本体の頂面の隅部に脚部を支持させて容器本体の頂面と屋根の下面との間に害虫が侵入する隙間を形成したことを第４の特徴とする。
【００１０】
本考案に係る害虫捕獲器は、載置台の上に害虫誘引剤の代わりに発光剤または蓄熱材を載置することを第５の特徴とする。
【考案の効果】
【００１１】
以上説明したように、本考案に係る害虫捕獲器によると、容器本体の頂面付近の害虫誘引剤により害虫を誘引し、屋根との間の隙間から容器本体の頂面付近に侵入させ、そこから容器本体内の捕獲室に落下させることによって、多くの害虫を効率よく捕獲することができ、捕獲効果に優れるという効果を奏する。また、容器本体の上方を屋根で覆うようにしたから、特に人目や光を避ける習性のあるゴキブリ等の害虫を捕獲室に誘導しやすくなり捕獲効果を高めることができるという効果を奏する。
【００１２】
さらに、容器本体および屋根は、繰り返し再利用できるので、従来のように粘着シート毎、組立てたパッケージ毎廃棄処分していた場合に比べて、ゴミの発生量を低減させることができるという優れた効果を奏する。
【図面の簡単な説明】
【００１３】
【図１】本考案に係る害虫捕獲器を容器本体と屋根に上下に分離した状態を示す全体斜視図、
【図２】図１に示す容器本体に屋根をセットした状態を示す害虫捕獲器の側面図、
【図３】図２に示す害虫捕獲器の断面図である。
【考案を実施するための最良の形態】
【００１４】
以下、本考案の実施の形態を、図面を参照して説明する。
図１ないし図３は本考案の一実施形態を示すもので、図１において、符号１００は害虫捕獲器を示している。
【００１５】
害虫捕獲器１００は、全体形状が略ピラミッド形状をなすとともに、互いに上下に分離可能な容器本体１０１と屋根１０２を備えている。それら容器本体１０１と屋根１０２はプラスチック素材から構成されている。容器本体１０１の各側面１０１ａは傾斜面とされ、各側面の略中央に下端から上端に続く凹凸状の階段部１０３が設けられている。この階段部１０３は害虫をして容器本体１０１の頂面１０１ｂに上り易くする梯子の機能を発揮する。階段部１０３は側面１０１ａの全幅方向に亘り設けてもよい。容器本体１０１のサイズは底面の１辺が７ｃｍ〜２０ｃｍ程度、高さ３ｃｍ〜１５ｃｍ程度、頂面の１辺が４ｃｍ〜１５ｃｍ程度あればよく、捕獲対象の害虫に応じてサイズが選択される。
【００１６】
容器本体１０１の頂面１０１ｂの中央には所定の深さ、所定の容積の捕獲室１０４が穿設されている。捕獲室１０４には、容器本体１０１の各側面１０１ａから頂面１０１ｂに登ってきた害虫が落下し、捕獲されるようになっている。捕獲室１０４の上端付近の内周面には捕獲後の害虫の這い上がりを防止する潤滑剤塗布部１０５が設けられている。潤滑剤塗布部１０５には例えば食用油やゼリー等の潤滑剤が塗布されている。捕獲室１０４内には、図３に示すように、捕獲後の害虫を殺虫するための殺虫成分を含む殺虫用液体１０６が貯留されている。殺虫用液体１０６には殺虫成分を含む薬液や、市販の台所用洗剤を水で薄めたものを用いる。殺虫用液体１０６には害虫を誘引する誘引剤を含ませてよい。殺虫用液体１０６は別容器に収容し、使用時に捕獲室１０４に入れるようにしてよい。
【００１７】
捕獲室１０４の底面１０４ａには、害虫誘引用の載置台１０７が容器本体１０１の頂面１０１ｂよりも若干低い高さまで立設されている。載置台１０７の上面には害虫誘引剤１０８が載置されている。害虫誘引剤１０８は、害虫を捕獲室１０４内に誘引するもので、例えば乾燥生塵やペットの餌等が用いられる。害虫誘引剤１０８には保護シールを貼り付け、使用時に保護シールを剥がすようにしてよい。
【００１８】
屋根１０２は、下面１０２ａの四隅に脚部１０９が設けられ、各脚部１０９を容器本体１０１の頂面１０１ｂの四隅の凹部１１０内に支持させることにより、容器本体１０１の捕獲室１０４を上から覆うとともに、屋根１０２の下面１０２ａと容器本体１０１の頂面１０１ｂとの間に害虫を通過させる隙間Ｓを四方向に形成している。捕獲室１０４の上方を屋根１０２で覆うことによって、光や人目を避ける習性のあるゴキブリ等の害虫を捕獲室１０４内に誘引しやすくなり、また、捕獲室１０４内にゴミや塵、埃等が侵入することを防止できる。
【００１９】
次に、上記構成の害虫捕獲器１００の使用方法について、以下に説明する。
【００２０】
まず、屋根１０２を外した状態で、容器本体１０１の載置台１０７の上面に害虫誘引剤１０８を載置し（載置台１０７の上面に害虫誘引剤１０８を予め載置してある場合は保護シールを剥がす）、容器本体１０１の捕獲室１０４の上端付近の内周面に潤滑剤を綿状の器具で塗布し（潤滑剤塗布部１０５を形成する）、捕獲室１０４内の所定高さまで殺虫用液体１０６を入れる。台所の隅等の、害虫が集まりそうな場所の床面Ｆ上に同容器本体１０１を設置し、屋根１０２を被せる。屋根１０２の下面１０２ａの四隅の脚部１０９を容器本体１０１の頂面１０１ｂの四隅の凹部１１０に挿入保持させることで、容器本体１０１に屋根１０２を正しくセットし、あわせて、害虫の通過する所定の高さの隙間Ｓを確保する。
【００２１】
捕獲室１０４内の害虫誘引剤１０８が空気中に放散されると、放散された誘引剤成分に誘引されて害虫が床面Ｆ上を容器本体１０１に向けて集まり、さらに、図３の矢印で示すように、容器本体１０１の各側面１０１ａに設けられた階段部１０３を登り、隙間Ｓを通り、容器本体１０１の頂面１０１ｂから中央の捕獲室１０４にことごとく落下する。落下した害虫は捕獲室１０４内の殺虫用液体１０６により死滅する。また、落下した害虫が捕獲室１０４の内周面を這い上がろうとしても内周面の上端付近の潤滑剤塗布部１０５により滑って上がれず、再び捕獲室１０４の殺虫用液体１０６内に落下する。
【００２２】
捕獲室１０４内に一定量の害虫が捕獲された場合（既に全量または大部分が死滅している）、あるいは害虫誘引剤１０８の誘引効果が無くなった場合、容器本体１０１を取り上げて、捕獲室１０４内の捕獲害虫を取り出して処分する。
【００２３】
捕獲害虫の処分後、容器本体１０１内の害虫誘引剤１０８の誘引効果が無くなった場合は、載置台１０８に新たに害虫誘引剤１０８を載置し、また、捕獲室１０４の内周面上端付近の潤滑剤塗布部１０５が少なくなった場合は、潤滑剤を塗布し直し、さらには、捕獲室１０４内の殺虫用液体１０６が少なくなったあるいは無くなった場合は、殺虫用液体１０６を補充する等した後、容器本体１０１を再び床面Ｆ上に設置し、屋根１０２を被せて、害虫の捕獲作業を継続する。
【００２４】
本考案の害虫捕獲器１００によると、害虫を容器本体１０１の頂面１０１ｂ付近に誘引し、そこから所定の幅・奥行・深さのある捕獲室１０４に落下させて捕獲するようにしており、従来の粘着シートタイプに比べると、同一面積対比で捕獲量が多い。したがって、多くの害虫を効率よく捕獲できる。
【００２５】
また、捕獲室１０４の中央の載置台１０７の上面に害虫誘引剤１０８を載置したので、四方から害虫を捕獲室１０４内に誘引し捕獲効果を高めることができる。
【００２６】
また、容器本体１０１の各側面１０１ａに階段部１０３を設けたので、誘引された害虫が容器本体１０１の側面１０１ａを確実に登りやすくなり、害虫の捕獲率を高めることができる。なお、階段部１０３を設ける代わりに、容器本体１０１の側面１０１ａを滑りにくいように粗面加工してもよい。
【００２７】
また、容器本体１０１の捕獲室１０４の内周面上端付近に潤滑剤塗布部１０５を設けたので、捕獲室１０４に落下した害虫が頂面１０１ｂに這い上がるのを防止できる。これにより、捕獲室１０４内の殺虫用液体１０６により捕獲した害虫を確実に死滅させることができる。
【００２８】
さらに、容器本体１０１の上方を屋根１０２で覆うようにしたから、害虫、特に人目や光を避ける習性のあるゴキブリが容器本体１０１の階段部１０３を登り、捕獲室１０４に容易に誘引されるようにすることができる。
【００２９】
容器本体１０１および屋根１０２は、繰り返し再利用できる。したがって、従来のように粘着シート毎、組立てたパッケージ毎廃棄処分していた場合に比べ、ゴミの発生量を低減させることができる。
【００３０】
上記実施形態の害虫捕獲器１００では、全体形状がピラミッド形状をなすが、これに限らない。三角錐、四角錐、五角錐等の多角錐形状や、円錐形状であってよい。また、屋根１０２は半球状であってよい。
【００３１】
害虫誘引用の載置台１０７の上面には、害虫誘引剤の代わりに、光に集まる虫に対しては発光剤を、冬場の温度（温暖な温度）に反応する虫に対しては蓄熱材を載置してよい。発光剤の載置により光に集まる虫、例えば蛾等を捕獲室１０４に捕集し、蓄熱材を載置することにより温度に反応して集まる虫、例えばゴキブリ等を捕獲室１０４内に捕集できる。
【００３２】
本考案の害虫捕獲器は、家庭用、業務用、屋外用の他、害虫としてナメクジ等を捕獲する園芸用等に用いることができる。かくして、本考案によれば、害虫を誘引し、捕獲効果が高く、再利用が可能な害虫捕獲器を実現できる。
【産業上の利用可能性】
【００３３】
本考案に係る害虫捕獲器は、誘引により害虫を捕獲する害虫捕獲器として家庭用、業務用、屋外用、園芸用等に利用可能である。
【符号の説明】
【００３４】
１００  害虫捕獲器
１０１  容器本体
１０１ａ  側面
１０１ｂ  頂面
１０２  屋根
１０２ａ  下面
１０３  階段部
１０４  捕獲室
１０４ａ  底面
１０５  潤滑剤塗布部
１０６  殺虫用液体
１０７  載置台
１０８  害虫誘引剤
１０９  脚部
Ｆ  床面
Ｓ  隙間
【図１】
0003179567.tif 000003
【図２】
0003179567.tif 000004
【図３】
0003179567.tif 000005